(57)【特許請求の範囲】
【請求項１】
スリット状出口及び当該スリット状出口から底部に向かって延設された内側面を有する有底筒状穴と、
当該筒状穴内に配置された打ち上げ用火薬と、
前記打ち上げ用火薬よりも当該筒状穴の前記出口側に配置され、前記出口から観察したときに前記出口に対応したスリット状の投影形状を有する板状火薬と、
を備えた花火。
【請求項２】
前記筒状穴は、一対の平行な長辺及び当該一対の長辺を連結する一対の短辺を有するスリット状出口と、当該一対の平行な長辺から底部に向かって延設された一対の平行な内側面と有し、
前記板状火薬は、一対の平行な主表面及び当該一対の主表面を連結する側面を有しており、当該一対の主表面が前記一対の平行な内側面に沿うように、前記筒状穴内に配置されている、
請求項１に記載の花火。
【請求項３】
前記板状火薬は中央部に穴を有する請求項１又は２に記載の花火。
【請求項４】
前記穴内に火薬が収容されている請求項３に記載の花火。
【請求項５】
前記板状火薬は、長方形状の平面視輪郭を有しており、且つ、当該長方形の一方の短辺が前記筒状穴の底部側に位置し、他方の短辺が前記筒状穴の出口側に位置するように、当該筒状穴に配置されている請求項１〜４の何れか一項に記載の花火。
【請求項６】
前記板状火薬は、円形状の平面視輪郭を有する請求項１〜４の何れか一項に記載の花火。
【請求項７】
打ち上げ用火薬を着火することを含む請求項１〜６の何れか一項に記載の花火の打ち上げ方法。
【発明の詳細な説明】
【技術分野】
【０００１】  本発明は、花火に関するものである。また本発明は、花火の打ち上げ方法に関するものである。
【背景技術】
【０００２】  本発明で称する「花火」とは、効果を出す火薬に火が着いた状態で打ち上げられる花火である。上空で開発する打ち上げ花火ではない。
本発明で称する「花火」は、従来は円筒の筒を用いて、球状、円柱状または円板状の火薬を打ち上げていた。例えば、球状の花火としては、特許文献１〜２に記載のものが知られている。
【先行技術文献】
【特許文献】
【０００３】
【特許文献１】特開２０１１−１９６６６８号公報
【特許文献２】特開２０１６−２０７５３号公報
【発明の概要】
【発明が解決しようとする課題】
【０００４】  第１の課題は以下の通り。従来から使用されている花火は円筒の筒から打ち上げられた後、空気抵抗を大きく受けるため火薬（円柱状または円板状）が回転し曲がってしまい、直線的に飛ばない。【０００５】  第２の課題は以下の通り。従来から使用されている花火は、１つの筒から複数の火薬を打ち上げた際に高さが揃いにくい。【０００６】  本発明者らは、上記課題を解決すべく鋭意研究を重ねた結果、従来から使用されている花火ではなく、出口部分がスリット形状を有する筒状穴と、スリット形状に合致した板状火薬とを備えた花火を用いることで第１の課題が解決できることを発見した。【０００７】  出口部分がスリット形状を有する筒状穴と、前記スリット形状に合致し且つ穴を有した板状火薬とを、当該筒状穴内に配置する。板状火薬の穴に別の火薬を入れた状態で打ち上げを行うと、板状火薬の穴に入れた火薬の打ち上げ高さはバラつきが少なくなり、第２の課題を解決できる。
【発明の効果】
【０００８】  本発明の一実施形態によれば、火薬が打ち上げられた後、左右に曲がることなく火薬の軌道が直線的になる。【０００９】  本発明の一実施形態によれば、１つの筒から複数の火薬を打ち上げた際に高さのバラツキが少なくなる。
【図面の簡単な説明】
【００１０】
【図１ａ】本発明の第１実施形態において、打ち上げ前における花火の内部構造を示す縦断面図である。
【図１ｂ】本発明の第１実施形態において、打ち上げ前における花火の内部構造を示す横断面図である。（図１ａのＡ−Ａ線断面図）
【図１ｃ】本発明の第１実施形態において、打ち上げ直後における花火の斜視図である。
【図２ａ】本発明の第２実施形態において、打ち上げ前における効果を出す火薬を複数備えた花火の内部構造を示す縦断面図である。
【図２ｂ】本発明の第２実施形態において、打ち上げ前における効果を出す火薬を複数備えた花火の内部構造を示す横断面図ある。（図２ａのＢ−Ｂ線断面図）
【図２ｃ】本発明の第２実施形態において、打ち上げ直後における効果を出す火薬を複数備えた花火の斜視図である。
【図３ａ】従来型の打ち上げ前における花火の内部構造を示す縦断面図である。
【図３ｂ】従来型の打ち上げ直後における花火の斜視図である。
【図４ａ】従来型の打ち上げ前における効果を出す火薬を複数備えた花火の内部構造を示す縦断面図である。
【図４ｂ】従来型の打ち上げ直後における効果を出す火薬を複数備えた花火の斜視図である。
【図５ａ】本発明の実施例１における側面図である。
【図５ｂ】本発明の実施例１における横断面図である。（図５ａのＣ−Ｃ線断面図）
【図６ａ】本発明の実施例２における側面図である。
【図６ｂ】本発明の実施例２における横断面図である。（図６ａのＤ−Ｄ線断面図）
【図７ａ】本発明の実施例３において、打ち上げ前における効果を出す火薬を複数備えた花火の内部構造を示す縦断面図である。
【図７ｂ】本発明の実施例３において、打ち上げ前における効果を出す火薬を複数備えた花火の内部構造を示す横断面図である。（図７ａのＥ−Ｅ線断面図）
【図７ｃ】本発明の実施例３において、打ち上げ直後における効果を出す火薬を複数備えた花火の斜視図である。
【発明を実施するための形態】
【００１１】  第１の実施形態として図１を示す。出口部分がスリット形状を有する筒（１３）の底部に電気着火デバイス（２）を固定する。その周りに打ち上げ用火薬（１）を配置する。その上に効果を出す板状火薬（３）を置く。効果を出す板状火薬（３）はスリットに合った板状の形状である。効果を出す板状火薬（３）は第１主表面（４）、第２主表面（５）、側面（６）を備える。
電気着火デバイス（２）に通電すると打ち上げ用火薬（１）に火が着き、効果を出す板状火薬（３）が燃えながら打ち上がる。
これにより、効果を出す板状火薬（３）の軌道は直線的になる。円板の場合、直径と厚さの比は、２：１〜１０：１程度が望ましい。
【００１２】  受圧面は効果を出す板状火薬の側面（６）とする。図３に示す従来型の花火では、柱状火薬（１２）の面積が大きい方を受圧面とするが、本実施形態では側面を打ち上げ用火薬からの圧力を受ける受圧面とすることが特徴である。
スリット形状に合致した板状火薬の側面を受圧面（６）として飛ばすことで空気抵抗を大きく受けずに飛行させることができ、より直線的な飛行が可能になる。図３に示す従来型の花火では、柱状火薬（１２）の面積が大きく空気抵抗を受けやすいので回転しやすく、曲がる原因となっている。
【００１３】  効果を出す板状火薬（３）は平面形状である限り三角形、四角形、五角形等でも実施可能であり、円板型の形状に拘るものではない。
【００１４】  発射筒（１３）の出口部分がスリット形状であれば、発射筒の外側の形状は長方形、楕円形等、形状は問わない。
但し、効果を出す板状火薬（３）と発射筒（１３）の隙間は短辺、長辺共に約１ｍｍ〜５ｍｍが好ましい。更に望ましくは約１ｍｍ〜２ｍｍである。図１のような長方形である発射筒の場合、筒の縦横比は２：１〜１０：１程度が望ましい。
より直進性を高める為には、発射筒の縦横比は１：５程度がより好ましい。
【００１５】  第２の実施形態として図２を示す。出口部分がスリット形状を有する筒（１３）の底部に電気着火デバイス（２）を固定する。その周りに打ち上げ用火薬（１）を配置する。その上に効果を出す円筒状火薬（７）を置く。効果を出す円筒状火薬（７）の穴部分に効果を出す粒状火薬（１１）を配置する。電気着火デバイス（２）に通電すると打ち上げ用火薬（１）に火が着き、効果を出す円筒状火薬（７）および効果を出す粒状火薬（１１）が燃えながら打ち上がる。
効果を出す円筒状火薬（７）はスリットに合った板状の形状に穴を有している。穴の場所は板状火薬（７）の中央部が望ましい。
【００１６】  効果を出す円筒状火薬（７）の形状は、効果を出す粒状火薬（１１）を押し上げる役割を持っていることが必要である。
効果を出す円筒状火薬（７）の中央部分に効果を出す粒状火薬（１１）を入れることができれば、効果を出す円筒状火薬（７）の形状は問わないが、円板状が好ましい。中央部の穴の形状は三角形、四角形等どんな形でも可能であるが、円状が好ましい。
効果を出す板状火薬は中央部に穴が開いた円筒状火薬（７）にすると、より飛行が直線的になり安定する。この穴は有底穴でも貫通穴のどちらでも構わない。より好ましくは貫通穴である。
効果を出す粒状火薬（１１）は、効果を出す円筒状火薬（７）の穴部分に発射筒内では収まり、効果を出す円筒状火薬（７）と効果を出す粒状火薬（１１）が一体となって筒外へ打ち出されるため、打ち上げ初速が均一になるので高さが揃う。
図４に示す従来型の花火では、粒状火薬（１１）が柱状火薬（１２）に押し上げられるが、個々の粒状火薬には均一に打ち上げ圧力がかからず初速がばらつく為、打ち上げ高さは揃いにくい。
【００１７】  発射筒（１３）の外側の形状は四角形である必要は無い。発射筒の出口部分の形状、発射筒の外側形状、板状火薬とスリットの隙間の大きさ、筒の縦横比については、第１実施形態と同様である。
【実施例】
【００１８】  以下、実施例により本実施形態を更に詳しく説明するが、本実施形態はこれらに限定されるものではない。
【実施例１】
【００１９】  実施例１について図５に詳細に示す。出口部分がスリット形状を有する発射筒１３の内側の大きさは、縦２４ｍｍ、横５ｍｍ、高さ９０ｍｍで、筒は１．４ｍｍの厚紙製である。打ち上げ用火薬１は黒色火薬０．６５ｇを用いた。効果を出す板状火薬３の大きさは直径２０ｍｍ、厚さ３ｍｍの円板状で、重量は０．９ｇとした。射角は水平に対して２２度に設定し、斜め上方へ打ち出すようにした。このように作成した花火に対して、電気着火デバイスに通電して打ち上げ用火薬に着火したところ、効果を出す板状火薬３は直線的に約３．５〜６ｍ飛んだ。発射地点から約４ｍ先の落下地点における最大の曲がり幅は、発射地点から直線に飛んだ時を０度とすると、片側約７度であった。従来品は、発射地点から直線に約６ｍ〜８ｍ飛び、発射地点から約４ｍ地点における曲がり幅は片側約９度であった。発射地点から約４ｍ地点における曲がり幅は約２３％改善したといえる。
【実施例２】
【００２０】  実施例２について図６に詳細に示す。効果を出す円筒状火薬７の中央に直径８ｍｍ程度の貫通穴を開けたこと、打ち上げ用火薬（１）は黒色火薬０．６ｇにしたこと以外は実施例１と同じ条件で火薬を打ち上げた。飛距離は約４ｍ〜６ｍであった。発射地点から約４ｍ先の落下地点における最大の曲がり幅は、発射地点から直線に飛んだ時を０度とすると、片側約３．５度であった。
また、実施例１では１６４件中１４件が下方向へ曲がる軌跡になったが、実施例２では３８件中０件となり更に直線的に飛行した。
実施例１と比較して実施例２の方が、上下左右ともに曲がらない傾向にあった。
【実施例３】
【００２１】  実施例３について図７に詳細に示す。発射筒は高さ２５０ｍｍ、縦５０ｍｍ、横２５ｍｍ、厚さ２ｍｍの紙製である。効果を出す円筒状火薬（７）は外径３８ｍｍの円板状で、中央部に直径２６ｍｍの貫通穴が開き、厚みは２０ｍｍである。効果を出す円筒状火薬（７）の中央の穴部分に入れる粒状火薬（１１）は、一辺が８ｍｍの立方体形状の火薬を８個、あるいは６ｍｍ角の火薬を１５個入れる。いずれの場合も、効果を出す粒状火薬（１１）の打ち上げ高さは従来と比較して一定となった。
【符号の説明】
【００２２】    １  打ち上げ用火薬
２  電気着火デバイス
３  効果を出す板状火薬
４  効果を出す板状火薬の第１主表面
５  効果を出す板状火薬の第２主表面
６  効果を出す板状火薬の側面
７  効果を出す円筒状火薬
８  効果を出す円筒状火薬の第１主表面
９  効果を出す円筒状火薬の第２主表面
１０  効果を出す円筒状火薬の側面
１１  効果を出す粒状火薬
１２  効果を出す柱状火薬
１３  発射筒
１４  発射筒の上底
１５  発射筒の下底
１６  発射筒の第１側面
１７  発射筒の第２側面
【図１ａ】
0006988027.tif 000002
【図１ｂ】
0006988027.tif 000003
【図１ｃ】
0006988027.tif 000004
【図２ａ】
0006988027.tif 000005
【図２ｂ】
0006988027.tif 000006
【図２ｃ】
0006988027.tif 000007
【図３ａ】
0006988027.tif 000008
【図３ｂ】
0006988027.tif 000009
【図４ａ】
0006988027.tif 000010
【図４ｂ】
0006988027.tif 000011
【図５ａ】
0006988027.tif 000012
【図５ｂ】
0006988027.tif 000013
【図６ａ】
0006988027.tif 000014
【図６ｂ】
0006988027.tif 000015
【図７ａ】
0006988027.tif 000016
【図７ｂ】
0006988027.tif 000017
【図７ｃ】
0006988027.tif 000018